(57)【要約】【課題】十分な電力を着信/動作中表示手段に供給できる軽量・薄型の携帯情報機器を提供する。【解決手段】有機ＥＬ表示パネルの第１の絶縁基板ＳＵＢ、又は封止缶ＣＡＰの何れか、もしくは両方の内面又は外面の一部に特定の外部高周波帯の電波に同調する平面アンテナＰＮＴを構成する独立アンテナ導体と、この平面アンテナＰＮＴに接続して着信/動作中表示手段に電力を供給する第１検波回路とを備えた。【選択図】図１
2007228446.tif 000002
【特許請求の範囲】
【請求項１】
絶縁性基板で形成されて、その略中央領域の大部分を占めるマトリクス配列の有機ＥＬ画素群からなる表示部と、この表示部の外周に設けられて前記自発光画素群を構成する画素に点灯・非点灯駆動のための走査信号とデータ信号を供給する駆動回路部とを配置した第１の基板と、前記表示部の上方を覆って当該表示部を外部雰囲気から遮断する第２の基板とを有する表示パネルを収容する筐体と、この筐体に着信/動作中表示手段を具備した携帯情報機器であって、
前記第１の絶縁基板、又は前記第の基板の何れか、もしくは両方の内面又は外面の一部に特定の外部高周波帯の電波に同調する独立アンテナ導体と、この独立アンテナ導体に接続して前記着信/動作中表示手段に電力を供給する第１検波回路とを備えたことを特徴とする携帯情報機器。
【請求項２】
請求項１に記載の携帯情報機器において、
前記筐体にデータの送受信を司る通信アンテナと、前記の第１検波回路の出力を前記通信アンテナの検波出力に基づいて前記着信/動作中表示手段に供給するゲート回路とを備えたことを特徴とする携帯情報機器。
【請求項３】
請求項１又は２に記載の携帯情報機器において、
前記着信/動作中表示手段は、発光ダイオードであることを特徴とする携帯情報機器。
【請求項４】
請求項３に記載の携帯情報機器において、
前記発光ダイオードは、前記通信アンテナに取り付けられていることを特徴とする携帯情報機器。
【請求項５】
請求項３に記載の携帯情報機器において、
前記発光ダイオードは、前記筐体に取り付けられていることを特徴とする携帯情報機器。
【請求項６】
請求項３に記載の携帯情報機器において、
前記発光ダイオードは、前記筐体の一部を構成していることを特徴とする携帯情報機器。
【請求項７】
請求項１又は２に記載の携帯情報機器において、
前記着信/動作中表示手段は有機ＥＬ素子であることを特徴とする携帯情報機器。
【請求項８】
請求項７に記載の携帯情報機器において、
前記有機ＥＬ素子は、前記通信アンテナに取り付けられていることを特徴とする携帯情報機器。
【請求項９】
請求項７に記載の携帯情報機器において、
前記有機ＥＬ素子は、前記筐体に取り付けられていることを特徴とする携帯情報機器。
【請求項１０】
請求項７に記載の携帯情報機器において、
前記有機ＥＬ素子は、前記筐体の一部又は全部を構成していることを特徴とする携帯情報機器。
【発明の詳細な説明】
【技術分野】
【０００１】
本発明は、携帯情報機器に係り、特に絶縁基板上に複数の有機ＥＬ素子を積層した有機ＥＬパネルを搭載した携帯電話機などに好適なものである。
【背景技術】
【０００２】
フラットパネル型の表示装置として液晶表示装置（ＬＣＤ）やプラズマ表示装置（ＰＤＰ）、電界放出型表示装置（ＦＥＤ）、有機ＥＬ表示装置（ＯＬＥＤ）などが実用化ないしは実用化研究段階にある。中でも、有機ＥＬ表示装置は薄型・軽量、かつ直流低電圧電流駆動であり、自発光型表示装置の典型としてこれからの表示装置として極めて有望な表示装置である。
【０００３】
有機ＥＬ表示装置には、基板側に表示光を出射する、所謂、ボトムエミッション型と基板と反対側に表示光を出射する、所謂、トップエミッション型とがある。ボトムエミッション型の有機ＥＬ表示装置は、ガラス基板を好適とする透明な絶縁基板（第１の基板）上に、第１の電極または一方の電極としての透明電極（ＩＴＯ等）、電界の印加で発光する有機多層膜（有機発光層とも言う）、第２の電極または他方の電極としての反射性の金属電極を順次積層した発光機構で有機ＥＬ素子が構成される。
【０００４】
この有機ＥＬ素子をマトリクス状に多数配列し、それらの積層構造を覆って封止缶と称する他の基板（第２の基板）あるいは封止被覆を設け、上記発光構造を外部の雰囲気から遮断して有機ＥＬパネルとしている。そして、例えば透明電極を陽極とし、金属電極を陰極として両者の間に電界を印加することで有機多層膜にキャリア（電子と正孔）が注入され、該有機多層膜が発光する。この発光をガラス基板側から外部に出射する構成となっている。
【０００５】
一方、トップエミッション型の有機ＥＬ表示装置は、上記した一方の電極として反射性を有する金属電極とし、他方の電極をＩＴＯ等の透明電極とし、両者の間に電界を印加することで有機多層膜が発光し、この発光を上記他方の電極側から出射する構成を特徴としている。トップエミッション型では、ボトムエミッション型における封止缶に相当する部材としてガラス板を好適とする透明板が使用される。
【０００６】
このような有機ＥＬ表示装置は自発光であることから、軽量・薄型が求められる携帯電話機あるいはＰＤＡの表示部に好適である。このような通信機能をもつ携帯情報機器には遠隔通信用のアンテナが装備されている。そして、着信や通信状態を視覚表示する着信/動作中表示手段を設けたものがある。この着信/動作中表示手段としては発光ダイオードが多く用いられており、その点灯電源には通常は装置本体のバッテリが用いられている。
【０００７】
また、特許文献１には、非接触のＩＣカードに液晶パネルを搭載すると共にループアンテナを設けて、ループアンテナに共振する特定の周波数の電磁波を検波し、これを動作電力としてデータ受信を行うものが開示されている。
【特許文献１】特開２００４−３６３５６１号公報
【発明の開示】
【発明が解決しようとする課題】
【０００８】
着信/動作中表示手段の電力を本体のバッテリから供給するものでは、当該バッテリの消耗を加速することになる。また、ループアンテナには強い指向性があり、装置の姿勢によっては十分な電力が得られない場合がある。
【０００９】
本発明の目的は、着信/動作中表示手段の電力を本体のバッテリから供給することなく、また装置の姿勢にかかわらずに十分な電力を着信/動作中表示手段に供給できる軽量・薄型の携帯情報機器を提供することにある。
【課題を解決するための手段】
【００１０】
上記目的を達成する本発明の手段の代表的構成は以下のとおりである。すなわち、
（１）本発明の携帯情報機器は、絶縁性基板で形成されて、その略中央領域の大部分を占めるマトリクス配列の有機ＥＬ画素群からなる表示部と、この表示部の外周に設けられて前記自発光画素群を構成する画素に点灯・非点灯駆動のための走査信号とデータ信号を供給する駆動回路部とを配置した第１の基板と、前記表示部の上方を覆って当該表示部を外部雰囲気から遮断する第２の基板とを有する表示パネルを収容する筐体と、この筐体に着信/動作中表示手段を具備した携帯情報機器である。
【００１１】
そして、前記第１の絶縁基板、又は前記第２の基板の何れか、もしくは両方の内面又は外面の一部に特定の外部高周波帯の電波に同調する平面アンテナを構成する独立アンテナ導体と、この独立アンテナ導体に接続して前記着信/動作中表示手段に電力を供給する第１検波回路とを備えたことを特徴とする。
【００１２】
また、本発明は、前記筐体にデータの送受信を司る通信アンテナと、前記の第１検波回路の出力を前記通信アンテナの検波出力に基づいて前記着信/動作中表示手段に供給するゲート回路とを備えたことを特徴とする。
【００１３】
また、本発明は、前記着信/動作中表示手段が発光ダイオードであり、この発光ダイオードが前記通信アンテナに取り付け、あるいは前記筐体に取り付けられ、若しくは前記筐体の一部を構成していることを特徴とする。
【００１４】
また、本発明は、前記着信/動作中表示手段が有機ＥＬ素子であり、この有機ＥＬ素子を前記通信アンテナに取り付け、あるいは前記筐体に取り付けられ、若しく前記筐体の一部又は全部を構成していることを特徴とする。
【００１５】
なお、本発明は、上記の構成および後述の実施の形態に開示される構成に限定されるものではなく、本発明の技術思想を逸脱することなく種々の変更が可能である。
【発明の効果】
【００１６】
本発明により、高付加価値で低消費電力化、薄型化、軽量化を実現した携帯情報機器を提供できる。
【発明を実施するための最良の形態】
【００１７】
以下、本発明を実施するための最良の実施形態につき、実施例の図面を参照して詳細に説明する。ここでは、表示装置として有機ＥＬ表示パネルを例として説明するが、他の自発光型の表示パネルについても同様である。
【実施例１】
【００１８】
図１は、本発明の実施例１を説明するための有機ＥＬ表示パネルの断面構造図である。図１において、第１の基板であるガラス基板ＳＵＢの主面（内面）には信号伝送用の配線、薄膜トランジスタの電極等や、各画素ごとに分離した第１電極である透明電極ＴＥＤが設けられる。各画素の間にはバンクと呼ばれる突堤ＢＮＫがあり、この突堤ＢＮＫで囲まれた内側に多層構造の有機ＥＬ発光層構造ＯＬＥが適宜の方法で塗布される。そして、最上層に第２電極である反射電極ＲＥＤが全画素に共通に成膜される。ガラス基板ＳＵＢの主面は第２の基板（封止缶）ＣＡＰで封止される。なお、ガラス基板ＳＵＢと封止缶ＣＡＰの間は真空とされ、あるいは乾燥剤（又は吸湿剤）が配置される。
【００１９】
図示しない走査線駆動回路による走査で選択された画素は、同様に図示しないデータ線駆動回路から供給される表示データに応じて発光し、この光Ｌがガラス基板ＳＵＢから出射する。
【００２０】
本発明の実施例１では、この有機ＥＬ表示パネルの基板に独立アンテナである平面アンテナＰＮＴの導体を形成する。図１には、封止缶ＣＡＰの外面と内面、ガラス基板ＳＵＢの外面と内面に平面アンテナＰＮＴの導体を形成した状態で示すが、これらは当該平面アンテナＰＮＴの導体の設置可能な部分として示したものである。これらの設置場所は選択事項である。
【００２１】
図２は、図１におけるガラス基板ＳＵＢに形成した平面アンテナＰＮＴの導体の配置例を説明する平面図である。平面アンテナＰＮＴの導体は、表示領域ＤＡＲの外周に形成されている。
【００２２】
図３は、図１における封止缶に形成した平面アンテナＰＮＴの導体の配置例を説明する平面図である。ボトムエミッション型の有機ＥＬ表示パネルでは封止缶ＣＡＰでは表示領域ＤＡＲを避ける必要がないので、平面アンテナＰＮＴの導体は、封止缶ＣＡＰの面内の任意の部分に形成される。
【００２３】
図４は、本発明の実施例１における着信/動作中表示手段の要部回路の説明図である。独立アンテナである平面アンテナＰＮＴに誘導された高周波電流は独立側検波回路ＲＴＦ-Ｐで検波されてゲート回路ＳＷに接続する。一方、この携帯情報機器には通信アンテナＡＮＴが設けられている。通信アンテナＡＮＴは送受信回路Ｔ/Ｒに接続してデータの送受信が行われる。
【００２４】
通信アンテナＡＮＴはまた、通信側検波回路ＲＴＦ-Ａに接続されている。通信側検波回路ＲＴＦ-Ａの検波出力はゲート回路ＳＷに制御信号として接続される。通信アンテナＡＮＴに着呼（着信）があるとき、平面アンテナＰＮＴにも同様の高周波電流が流れる。通信アンテナＡＮＴに着信した高周波電流は送受信回路Ｔ/Ｒに供給されてデータが再生される。このとき、通信アンテナＡＮＴに着信した高周波電流は通信側検波回路ＲＴＦ-Ａで検波され、検波信号が制御信号としてゲート回路ＳＷに印加され、このゲート回路を開く。独立側検波回路ＲＴＦ-Ｐで検波された検波電流はゲート回路ＳＷをとおり、着信/動作中表示手段への視覚表示出力ＯＵＴとなる。
【００２５】
図５は、本発明の実施例１における着信/動作中表示手段の表示部の一構成例の説明図である。図５の表示部は発光ダイオードＰＤであり、その入力端子ＩＮに図４の表示出力ＯＵＴが入力すると発光ダイオードＰＤが発光して着信を表示する。この発光ダイオードＰＤは本体装置の通信アンテナ部分に設置してもよいし、本体装置の筐体に設置してもよい。
【００２６】
図６は、本発明の実施例１における着信/動作中表示手段の表示部の他の構成例の説明図である。図６の表示部は有機ＥＬ素子ＯＬＥＤであり、その入力端子ＩＮに図４の表示出力ＯＵＴが入力すると有機ＥＬ素子ＯＬＥＤが発光して着信を表示する。この有機ＥＬ素子ＯＬＥＤは本体装置の通信アンテナ部分に設置してもよいし、本体装置の筐体に設置し、あるいは筐体に設けるジャケットを有機ＥＬ表示装置としたものでもよい。
【００２７】
また、この携帯情報機器から発呼（発信）する場合、送受信回路Ｔ/Ｒから出力される高周波電流は通信アンテナＡＮＴから空間に輻射される。この輻射された高周波電流は平面アンテナＰＮＴで受信され、独立側検波回路ＲＴＦ-Ｐで検波された検波電流はゲート回路ＳＷに至る。これと同時に、送受信回路Ｔ/Ｒから出力される高周波電流の一部は通信側検波回路ＲＴＦ-Ａで検波され、検波信号が制御信号としてゲート回路ＳＷに印加され、このゲート回路ＳＷを開き、着信/動作中表示手段への表示出力ＯＵＴとなる。その後は前記と同様に着信/動作中表示手段に視覚表示がなされる。
【００２８】
図７は、本発明の携帯情報機器の代表例である携帯電話機の外観図である。この携帯電話機は折り畳み式であり、図７の（a）は開いた状態の正面図、図７の（b）は同じく側面図である。この携帯電話機は本体部ＭＢと、この本体部ＭＢに蝶番ＨＮＪで接続した表示部ＤＢから構成される。本体部ＭＢには文字/数字/記号等を入力するキーボードＫＢと機能選択等の操作ダイヤルＭＰなどが設けられている。
【００２９】
表示部ＤＢの正面には、有機ＥＬ表示パネルで構成した表示領域ＤＡＲを有し、後側面には通信アンテナＡＮＴが設置され、表示パネルＰＮＬの封止缶の背面にホトリソプロセスによるパターニング、導体の印刷、あるいは導体箔の貼り付けで平面アンテナＰＮＴが形成されている。
【００３０】
図８は、本発明による平面アンテナの他の適用例の説明図である。この例はテレビ受像機の画面を含む正面部分に平面アンテナを形成したものである。平面アンテナＰＮＴのうち、表示領域ＤＡＲに設けるアンテナ導体はＩＴＯなどの透明導電膜であり、キャビネットＣＡＢに設けるアンテナ導体は銅箔、銅線、アルミニウム箔、アルミニウム線などでよい。なお、表示領域ＤＡＲにはアンテナ導体を設けないことも考えられる。平面アンテナＰＮＴは無指向性である。
【００３１】
図９は、図８に示した平面アンテナＰＮＴを用いた受信利得向上システムを説明する構成図である。通常のテレビ受信アンテナＡＮＴは平面アンテナＰＮＴと共に混合増幅回路ＭAＸに入力する。このとき、両アンテナの位相が合うように位相調整を行う。混合増幅回路ＭAＸの出力は受信回路で所定の処理を経て表示装置ＤＩＳに与えられ、表示領域に映像が再生される。
【図面の簡単な説明】
【００３２】
【図１】本発明の実施例１を説明するための有機ＥＬ表示パネルの断面構造図である。
【図２】図１におけるガラス基板に形成した平面アンテナの導体の配置例を説明する平面図である。
【図３】図１における封止缶に形成した平面アンテナの導体の配置例を説明する平面図である。
【図４】本発明の実施例１における着信/動作中表示手段の要部回路の説明図である。
【図５】本発明の実施例１における着信/動作中表示手段の表示部の一構成例の説明図である。
【図６】本発明の実施例１における着信/動作中表示手段の表示部の他の構成例の説明図である。
【図７】本発明の携帯情報機器の代表例である携帯電話機の外観図である。
【図８】本発明による平面アンテナの他の適用例の説明図である。
【図９】図８に示した平面アンテナＰＮＴを用いた受信利得向上システムを説明する構成図である。
【符号の説明】
【００３３】
ＳＵＢ・・・第１の基板（絶縁基板、ガラス基板）、ＴＥＤ・・・第１電極である透明電極、ＢＮＫ・・・バンク、ＯＬＥ・・・有機ＥＬ発光層構造、ＲＥＤ・・・反射電極、ＣＡＰ・・・第２の基板（封止缶）。
【図１】
2007228446.tif 000003
【図２】
2007228446.tif 000004
【図３】
2007228446.tif 000005
【図４】
2007228446.tif 000006
【図５】
2007228446.tif 000007
【図６】
2007228446.tif 000008
【図７】
2007228446.tif 000009
【図８】
2007228446.tif 000010
【図９】
2007228446.tif 000011